(57)【要約】【課題】静電変換器として作動するマイクロホンカプセルの電気接触を改良して安価にする。【解決手段】マイクロホンカプセルの内部でプリント配線基板（１１）に配置された高抵抗の前置増幅器（１４）と、同じくプリント配線基板（１２）に配置された後置増幅器（１５）とを備える。高抵抗の前置増幅器（１４）がフレキシブルプリント配線基板（１１）に配置されており、このフレキシブルプリント配線基板は少なくとも１つの部位でカプセルケーシング（１）の断面から突出して、後置増幅器（１５）のプリント配線基板（１２）と直接接続されている。【選択図】　図２
2004007427.tif 000002
【特許請求の範囲】
【請求項１】
マイクロホンカプセルの内部でプリント配線基板（９，１１，２１，３１）に配置された高抵抗の前置増幅器（１４）と、同じくプリント配線基板（１０，１２，２１，３１）に配置された後置増幅器（１５）とを備える、静電ベースの電気音響マイクロホン変換器であって、高抵抗の前置増幅器（１４）がフレキシブルプリント配線基板（１１）に配置されており、このフレキシブルプリント配線基板は少なくとも１つの部位でカプセルケーシング（１）の断面から突出して、後置増幅器（１５）のプリント配線基板（１２）と直接接続されていることを特徴とするマイクロホン変換器。
【請求項２】
後置増幅器（１５）がフレキシブルプリント配線基板（２１，３１）に配置されていることを特徴とする請求項１に記載のマイクロホン変換器。
【請求項３】
フレキシブルプリント配線基板（３１）が、カプセルケーシング（１）の領域を起点として、少なくとも２本、有利には３本のアーム（３３）を有しており、これらのアームは、フレキシブルプリント配線基板（３１）とカプセルケーシングを機械的に支承するための取付個所（３５）に通じていることを特徴とする請求項１または２に記載のマイクロホン変換器。
【請求項４】
前記アーム（３３）がその外側端部で、取付個所（３５）が設けられたフレキシブルプリント配線基板の環状部分（３２）に連結していることを特徴とする請求項３に記載のマイクロホン変換器。
【請求項５】
フレキシブルプリント配線基板（２１，３１）が、長尺状の区域（３６）を介して、当該フレキシブルプリント配線基板が取り付けられる装置と接続されていることを特徴とする請求項２，３または４のうちいずれか１項に記載のマイクロホン変換器。
【発明の詳細な説明】
【０００１】
【発明の属する技術分野】
本発明は、マイクロホンカプセルの内部でプリント配線基板に配置された高抵抗の前置増幅器と、同じくプリント配線基板に配置された後置増幅器とを備える、静電ベースの電気音響マイクロホン変換器に関する。
【０００２】
【従来の技術】
静電ベースで作動する電気音響マイクロホン変換器は、電気的なコンデンサの電極を形成する２つの金属面を有している。可動な電極は、自由に振動する、縁部に取り付けられたダイヤフラムとして施工されており、一般には単にダイヤフラムと呼ばれる。可動でない電極は単に電極と呼ばれ、導電性があり、複数の開口部を備える材料で製作される。この電極は可動ではないが、パーフォレーションがあるので音に対しては透過性である。マイクロホン変換器のダイヤフラムにおける音圧の変化がダイヤフラムの運動を引き起こし、それによってマイクロホンカプセルの電気容量の変化を引き起こす。
【０００３】
電気容量の変化を、マイクロホンの出力接続部における電圧変化に変換できるようにするために、マイクロホンカプセルの各電極の間に電場を生成することが必要である。これは２通りの方法で行われる。その１つは、電圧源によっていわゆる分極起電力をマイクロホンカプセルの各電極の間に生成させる方法であり、この場合にはコンデンサ変換器という表現が用いられる。もう１つは、非常に優れた電気絶縁をする材料（たとえばテフロン）によって、電極の一方を電荷で恒久的に被覆し、塗布された層を電気的な電荷担体、蓄積器として利用する方法であり、これはエレクトレット変換器と呼ばれる。
【０００４】
これら両方の形態に共通しているのは、変換器システムが、電気的に見て高抵抗なことである。このことは、第１に後につながれた増幅器も高抵抗の入力インピーダンスで施工しなければならず、第２に電磁的な妨害をなくす目的で増幅器をマイクロホンカプセルのすぐ近くに設置しなければならないことを意味している。後者の条件は、マイクロホン増幅器の第１段がいわゆるインピーダンス変換器としてマイクロホンカプセル自体のケーシングに格納されるほど、念入りに履行される。従来技術に基づくこのような構造が、図１に示されている。
【０００５】
この従来技術に基づく静電カプセル（静電マイクロフォンカプセル）において、カップ状のカプセルケーシング１は、前面に少なくとも１つの音響開口部２を有している。マイクロホンカプセルの内部には、ダイヤフラム４を備えるダイヤフラムリング３が配置されている。スペーサリング５は、ダイヤフラム４と、パーフォレーションのある（孔のある）電極６との間に必要な間隔をあける働きをする。音響的な正しいカプセル同調を行えるようにするために、いわゆる摩擦ピル７が設けられている。この摩擦ピル７は、通常、プラスチック材料で製作され、多孔性材料８で覆われる少なくとも１つの開口部を有している。
【０００６】
このマイクロホンカプセルは、増幅器（前置増幅器）の第１段の電子コンポーネントが収められた電気的なプリント配線基板９によって、裏側から閉じられている。プリント配線基板９は、裏側からも音波がダイヤフラム４にアクセスできることを保証するために、少なくとも１つの開口部を有している。プリント配線基板９は、接続導線と直接はんだ付けされるか、またはプラグ状の接触接続部とはんだ付けされた、はんだ付け個所を有している。このように製作されたマイクロホンカプセルは、マイクロホンまたはその他の装置（移動電話または無線電話、口述録音機またはその他の録音機）の中にある、電子プリント配線基板１０の上に装着された後置増幅器と電気接続される。
【０００７】
【発明が解決しようとする課題】
このように構成された静電マイクロホンカプセルは、少なくとも２つの電気接続部を有している。これらの接続部によってマイクロホンカプセルが増幅器に接続される。その接触は、はんだ付け個所によって施工されるか、接触個所によって施工されるかのいずれかである。この両方の種類の接触に共通しているのは、マイクロホンカプセルが高価になる一因になっていることと、特に不具合の発生源になっていることである。
【０００８】
本発明の目的は、静電変換器として作動するマイクロホンカプセルの電気接触を改良して安価にすることである。
【０００９】
【課題を解決するための手段】
本発明によればこの目的は、高抵抗の前置増幅器がフレキシブルプリント配線基板に配置されており、このフレキシブルプリント配線基板は変換器の断面から突出して、後置増幅器のプリント配線基板と直接接続されていることによって達成される。それにより、従来は必要だった、両方のプリント配線基板をつなぐ接続部として独自の構成部品をなす、二重ケーブルが不要となり、それにより、（２極の、ないし２つの単極の単純な）ケーブルの二重接触の不具合の起こりやすさが解消される。
【００１０】
一つの実施態様では、後置増幅器も、相応に幾何学構成されたフレキシブルプリント配線基板に設けることが意図され、それによって接触のいかなる問題もなくなり、組立も簡素化される。
【００１１】
格別に有利な実施の態様では、フレキシブルプリント配線基板が幾何学的に、変換器ないしカプセルがフレキシブルプリント配線基板によって装置に組み付けられるように構成される。このことは、この種のフレキシブルプリント配線基板が製作される材料の機械的特性によって可能である（現在、多くはポリアミドまたはポリカーボネート）。
【００１２】
【発明の実施の形態】
次に、図面を参照しながら本発明の実施形態について詳しく説明する。
【００１３】
本発明の実施形態が図２に示されている。
【００１４】
ここで、カップ状のカプセルケーシング１は、前面に少なくとも１つの音響開口部２を有している。マイクロホンカプセルの内部には、ダイヤフラム４を備えるダイヤフラムリング３が配置されている。スペーサリング５は、ダイヤフラム４と、パーフォレーションのある（多孔性部材）電極６との間に必要な間隔をあける働きをする。音響的な正しいカプセル同調を行えるようにするために、いわゆる摩擦ピル７が設けられている。この摩擦ピル７は、通常、プラスチック材料で製作され、多孔性材料８で覆われる少なくとも１つの開口部を有している。
【００１５】
このように、カプセルの構造は、図１に示すカプセルの構造と実質的に一致しているが、本発明では図１のプリント配線基板９の代わりに、いわゆるフレキシブルプリント配線基板１１が備えられる。
【００１６】
このフレキシブルプリント配線基板１１は、従来技術と同じく、増幅器（前置増幅器）１４の第１段を構成するために用いられるが、有利には薄い延長部を備えており、この延長部はその長さが、プリント配線基板１２にある後置増幅器１５との直接的な（追加の線材を用いない）接続を成立させるのに十分な程度の長さに施工されている。フレキシブルプリント配線基板１１の端部は、後置増幅器１５のプリント配線基板１２と直接はんだ付けされるか、もしくは通常の差込接続を利用して接触を行うことができる。
【００１７】
図３は、あくまでも模式的かつカプセルを取り外した状態で、本発明による別の形態を示している。
【００１８】
この場合、フレキシブルプリント配線基板２１は、後置増幅器１５もが、フレキシブルプリント配線基板２１に（ただし、カプセル領域の範囲外で）装着されるようなサイズに施工されている。それにより、増幅器（前置増幅器）１４の第１段をマイクロホンカプセルと恒久的に電気接続できるだけでなく、後置増幅器１５をも、マイクロホンカプセルとともに１つのモジュールに統合することができる。
【００１９】
図４は、格別に有利な本発明によるさらに別の形態を示している。
【００２０】
この場合、フレキシブルプリント配線基板３１は幾何学的に、（図示しない）マイクロホンカプセルの機械的な支承も成立させるように構成されている。この場合、マイクロホンカプセルは中央領域３４に装着されており、フレキシブルプリント配線基板３１の３本のアーム３３によって機械的に支持されている。
【００２１】
マイクロホン変換器は、装置内部において、所定の範囲内で機械的に自由に振動できるように、さまざまな装置に取り付けなくてはならない場合がよくある。このことは、固体伝搬音や握り音を最低限に抑えるという理由から必要である。この目的のためにマイクロホンカプセルの質量は、マイクロホンカプセルとマイクロホン支承部のシステムの機械的な共振周波数ができるだけ低くなるように、もしくは伝送されるべき周波数領域の範囲外に保たれるように、支承部の機械的弾性と共に調節される。
【００２２】
本発明によれば、図４のフレキシブルプリント配線基板３１だけが、カプセルを機械的に自由に支承ないし保持するように設けられる。この目的のために、フレキシブルプリント配線基板３１は少なくとも２本のアーム３３を有しており、これらのアーム３３が、たとえば外側縁部にある取付箇所である、長円形の貫通孔３５を介して装置に組み付けられたときに、カプセルを保持する。
【００２３】
図４には、円周に沿って均等に配置された３本のアーム３３が設けられた有利な例が示されており、これらのアーム３３は各々の外側端部で、環状のプリント配線基板部分３２へと一体的に連なっており、それにより、ユニット全体の組立が容易になる。機械的な振動挙動を改善するために、アーム３３は湾曲するように成形されており、厳密には半径方向を向いてはいない。
【００２４】
本発明のこの形態でも、図３の構成に準じて後置増幅器１５をフレキシブルプリント配線基板３１の上で、図示しているように、環状のプリント配線基板部分３２のところに設けるか、またはアンビリカルコード（長尺状の区域）３６の図示しない向こう側の領域に設けることも可能であり、後者の場合、状況によってはアンビリカルコードは２本だけでなくそれ以上の条導体を有している。
【００２５】
本発明は図示した実施形態に限定されるものではなく、さまざまに改変することができる。たとえば、特にフレキシブルプリント配線基板３１によってカプセルの機械的な支承を行う実施形態の場合、アーム３３は環状の配線基板部分３２によってつながれていなくてもよく、また、取付状況に応じてそれぞれのアームが互いには等しくない長さで、および／またはカプセル軸に関して不均等に配置されていてもよい。信号のための条導体は異なるアームの中を通っていてもよく、状況によってはその接触を取付手段（ネジ、リベット、導電性接着剤など）によって行うことができ、それにより、それ以外の構成部品が省略されて追加の組立工程が不要になる。
【図面の簡単な説明】
【図１】従来技術に基づく構成の断面図である。
【図２】本発明による第１形態の断面図である。
【図３】本発明の格別に有利な他の実施形態をカプセルなしで示す側面図である。
【図４】さらに別の実施形態を同じくカプセルなしで示す平面図である。
【符号の説明】
１　カプセルケーシング
９，１０，１１，１２，２１，３１　プリント配線基板
１４　前置増幅器
１５　後置増幅器
３３　アーム
３５　取付個所
【図１】
2004007427.tif 000003
【図２】
2004007427.tif 000004
【図３】
2004007427.tif 000005
【図４】
2004007427.tif 000006